(57)【特許請求の範囲】
【請求項１】
フロックの形成を促進するためのフロック形成池を沈殿池の前段に連設し、前記フロック形成池と前記沈殿池との間に、フロック形成池から沈殿池へ流入水を整流状態で流入させるための２枚の整流壁を流入水の流れ方向に交差させて、前記フロック形成池側と前記沈殿池側にそれぞれ設けるとともに、掻寄板を所定間隔で設けた無端状の掻寄チェーンを回動させることにより前記沈殿池の池底に沈殿したフロックを前記池底に設けた排泥ピットに掻き寄せる汚泥掻寄機を備えた沈殿池において、前記沈殿池側の整流壁の下部に前記沈殿池に連通する排泥用の通孔を設け、２枚の整流壁の間に沈殿したフロックを前記通孔を通して沈殿池方向に掻き寄せて前記排泥ピットに集めるための掻寄機を前記沈澱池に設けた汚泥掻寄機とは別に設け、２枚の整流壁の間に設けた前記掻寄機を前記沈澱池に設けた汚泥掻寄機と連動させたことを特徴とする沈殿池。
【発明の詳細な説明】
【０００１】
【発明の属する技術分野】
本発明は、沈殿池に関し、詳しくは、上流側に２枚の整流板を有する沈殿池におけるフロックの排出構造に関する。
【０００２】
【従来の技術】
浄水処理設備等に設けられている沈殿池には、池底に沈殿したフロック（汚泥，スラッジ）を排出するため、池底の一側や中央部に所定深さの排泥ピット（ホッパー）を設けるとともに、該排泥ピットに向けて汚泥を掻き寄せるための掻寄機を設置するようにしている。
【０００３】
また、沈殿池の前段に、フロックの形成を促進するためのフロック形成池を連設するとともに、このフロック形成池と沈殿池との間に、沈殿池流入水を整流状態で沈殿池に流入させるための２枚の整流壁を設けることも行われている。
【０００４】
【発明が解決しようとする課題】
しかし、流入水がフロック形成池から整流壁を通って沈殿池に流入する間に、流入水中のフロックの一部が２枚の整流壁間に沈殿するので、沈殿して堆積したフロック量が多くなると、整流壁の機能を損なうことがあった。通常の整流壁は、その間隔が比較的狭いため、適当な排泥手段を設置することが困難であることから、フロックを除去するためには、沈殿池の水を抜いて清掃作業を行う必要があり、手間がかかるだけでなく、その間は沈殿池の運転を停止させなければならなかった。
【０００５】
そこで本発明は、沈殿池の上流に設けられた整流壁間に沈殿するフロックを自動的に排出することができ、清掃作業を不要として沈殿池を安定した状態で運転することができる沈殿池を提供することを目的としている。
【０００６】
【課題を解決するための手段】
上記目的を達成するため、本発明の沈殿池は、フロックの形成を促進するためのフロック形成池を沈殿池の前段に連設し、前記フロック形成池と前記沈殿池との間に、フロック形成池から沈殿池へ流入水を整流状態で流入させるための２枚の整流壁を流入水の流れ方向に交差させて、前記フロック形成池側と前記沈殿池側にそれぞれ設けるとともに、掻寄板を所定間隔で設けた無端状の掻寄チェーンを回動させることにより前記沈殿池の池底に沈殿したフロックを前記池底に設けた排泥ピットに掻き寄せる汚泥掻寄機を備えた沈殿池において、前記沈殿池側の整流壁の下部に前記沈殿池に連通する排泥用の通孔を設け、２枚の整流壁の間に沈殿したフロックを前記通孔を通して沈殿池方向に掻き寄せて前記排泥ピットに集めるための掻寄機を前記沈澱池に設けた汚泥掻寄機とは別に設け、２枚の整流壁の間に設けた前記掻寄機を前記沈澱池に設けた汚泥掻寄機と連動させたことを特徴としている。
【０００７】
【発明の実施の形態】
図１は本発明の沈殿池の一形態例を示す断面図、図２は同じく要部の断面図である。この沈殿池１０は、その前段に、フロック形成池１１と、２枚の整流壁１２，１３とを有するものであって、この沈殿池１０で沈殿処理される被処理水は、フロック形成池１１で凝集剤を混合撹拌された後、２枚の整流壁１２，１３を通して沈殿池１０内に整流状態で流入する。沈殿池１０内及び傾斜板（管）１４部分でフロックを沈降分離した後の処理水は、トラフ１５を介して沈殿池１０から流出する。
【０００８】
沈殿池１０には、池底に沈殿したフロック（汚泥，スラッジ）１６を排出するための排泥手段として、池底の流入側に所定深さの排泥ピット（ホッパー）１７を設けるとともに、該排泥ピット１７に向けて汚泥１６を掻き寄せる汚泥掻寄機１８を設置し、この汚泥掻寄機１８で汚泥１６を排泥ピット１７に掻き寄せ、排泥弁１９を開いて排泥口２０から自然流下あるいはポンプで汚泥を排泥池に送るようにしている。
【０００９】
前記汚泥掻寄機１８は、いわゆるリンクベルト式と呼ばれるものであって、駆動スプロケット２１と従動スプロケット２２との間に、所定間隔でフライト（掻寄板）２３を固定した掻寄チェーン２４を無端状に掛け渡したものであって、駆動スプロケット２１を駆動チェーン２５を介してモーター２６で駆動し、池底側のフライト２３を排泥方向（排泥ピット１７方向）に移動させることにより、汚泥１６を排泥ピット１７方向に掻き寄せるように形成されている。なお、駆動スプロケット２１から従動スプロケット２２へ戻るリターン側の掻寄チェーン２４は、リターンレール２７によりガイドされている。
【００１０】
一方、前記２枚の整流壁１２，１３は、壁面に整流用の通水孔１２ａ，１３ａを多数形成したものであって、整流壁１２，１３間の底面３１は、沈殿池１０方向に下り勾配を有する傾斜面に形成されている。また、沈殿池１０側の整流板１３の下部には、整流壁１２，１３間と沈殿池１０とを連通させる排泥用の通孔３２が設けられるとともに、底面３１には、前記リンクベルト式汚泥掻寄機１８と同様の構造を有する掻寄機３３が設置されている。
【００１１】
この掻寄機３３も、前記同様に、駆動スプロケット３４と従動スプロケット３５との間に、フライト３６を固定した掻寄チェーン３７を無端状に掛け渡し、リターン側の掻寄チェーン３７をリターンレール３８によりガイドしたものであって、駆動スプロケット３４を駆動チェーン３９を介して駆動することにより、整流壁１２，１３間に沈降堆積したフロック（汚泥）４０をフライト３６で掻き寄せ、前記通孔３２を通して排泥ピット１７に落下させるように形成されている。
【００１２】
また、掻寄機３３の駆動手段となる駆動軸４１は、前記汚泥掻寄機１８の駆動手段であるモーター２６の駆動軸２６ａに連動チェーンや連動歯車４２で連結されて逆方向に回転するように形成されており、汚泥掻寄機１８の作動と同時にこの掻寄機３３も作動するように形成されている。
【００１３】
すなわち、前記モーター２６を駆動して汚泥掻寄機１８を作動させると、該汚泥掻寄機１８のフライト２３が沈殿池１０の池底に沈殿したフロック（汚泥）１６を排泥ピット１７に掻き寄せるとともに、モーター２６に連結された駆動軸４１が駆動チェーン３９を介して掻寄機３３を駆動し、フライト３６を移動させて整流壁１２，１３間に沈降堆積したフロック（汚泥）４０を前記通孔３２から排泥ピット１７内に掻き寄せる。このとき、整流壁１２，１３間の底面３１に沈殿池方向の下り勾配を設けておくことにより、汚泥４０の掻き寄せを効果的に行うことができる。
【００１４】
したがって、沈殿池１０に設けた汚泥掻寄機１８を作動させるだけで、整流壁１２，１３間に沈殿した汚泥４０も同時に除去することができるので、沈殿池１０の清掃頻度を少なくすることができ、安定した沈殿処理を長期間にわたって継続することができる。
【００１５】
図３は、本発明の他の形態例を示す断面図であって、排泥ピット１７を中央部に設けるとともに、整流壁１２，１３間の底面３１を沈殿池１０の底面と面一の水平状態に形成した沈殿池１０に本発明を適用した例を示している。なお、前記形態例の構成要素と同一の構成要素には同一の符号を付して詳細な説明は省略する。
【００１６】
本形態例では、沈殿池１０の排泥ピット１７より下流側に前記同様の汚泥掻寄機１８を設けるとともに、排泥ピット１７より上流側から通孔３２を経て整流壁１２，１３間の底面に至る部分に前記同様の掻寄機３３を設置し、両掻寄機１８，３３をモーター２６で同時に駆動するように形成している。
【００１７】
このように、排泥ピット１７を中央部に設けた場合でも、両掻寄機１８，３３における池底側のフライト２３，３６の移動方向、即ち汚泥掻き寄せ方向を排泥ピット１７を境にして逆方向を向くようにして両掻寄機１８，３３を設置することにより、沈殿池１０の池底に堆積した汚泥と、整流壁１２，１３間の底面部分に堆積した汚泥とを、同時に排泥ピット１７に掻き寄せることができる。
【００１８】
なお、汚泥４０を沈殿池１０方向に通過させるための通孔３２は、通水孔１３ａで兼用してもよく、汚泥排出用に専用のものを適宜な形状で設けておくようにしてもよい。また、本形態例では、掻寄機３３の駆動手段を、汚泥掻寄機１８の駆動手段であるモーター２６の部分に設けたが、汚泥掻寄機１８の駆動スプロケット２１と掻寄機３３の駆動スプロケット３４とをチェーン等で逆方向に回転するように連結して掻寄機３３を駆動することも可能である。
【００１９】
【発明の効果】
以上説明したように、本発明の沈殿池によれば、沈殿池本体部分に沈殿したフロック（汚泥）を掻き寄せて排出するのと同時に、整流壁間に沈殿したフロックも掻き寄せて排出することができるので、沈殿処理運転を安定した状態で長期間継続することができる。
【図面の簡単な説明】
【図１】  本発明の沈殿池の一形態例を示す断面図である。
【図２】  同じく要部の断面図である。
【図３】  本発明の沈殿池の他の形態例を示す断面図である。
【符号の説明】
１０…沈殿池、１１…フロック形成池、１２，１３…整流壁、１２ａ，１３ａ…通水孔、１４…傾斜板、１５…トラフ、１６…汚泥、１７…排泥ピット、１８…汚泥掻寄機、１９…排泥弁、２０…排泥口、２１…駆動スプロケット、２２…従動スプロケット、２３…フライト、２４…掻寄チェーン、２５…駆動チェーン、２６…モーター、２７…リターンレール、３１…底面、３２…通孔、３３…掻寄機、３４…駆動スプロケット、３５…従動スプロケット、３６…フライト、３７…掻寄チェーン、３８…リターンレール、３９…駆動チェーン、４０…汚泥、４１…駆動軸、４２…連動歯車
【図１】
0004368485.tif 000002
【図２】
0004368485.tif 000003
【図３】
0004368485.tif 000004